(57)【特許請求の範囲】
【請求項１】
第１空気を対象空間に吹き出す第１ファン（１１）をそれぞれ有する複数の第１ユニット（１０）と、
熱交換器（２２）及び吸気口（２８，２９）を有する第２ユニット（２０）と、
前記第２ユニットから前記複数の第１ユニットに送られる前記第１空気を分配するダクト（４０）と、
前記吸気口の上流に設けられ、前記第２ユニットの外部から前記吸気口を通して第２空気を前記第２ユニットに導入する第２ファン（１１１，１２０）と、
前記複数の第１ユニットの複数の第１ファンを制御するコントローラ（５０）と、
を備え、
前記複数の第１ユニットの各々が、各第１ユニットの風量を検知する第１風量検知手段（１２）を有し、
前記第２ユニットが、少なくとも前記第２ファンにより導入された前記第２空気を前記熱交換器で熱交換することによって前記第１空気を生成して前記ダクトに送出し、
前記コントローラが、前記複数の第１ユニットの前記複数の第１風量検知手段で検知された風量の合計と前記第２ファンの風量との比較の結果に応じて、前記複数の第１ユニットの風量の合計を前記第２ファンの風量以上にすることによって前記吸気口から前記第２ユニットの外部に前記第１空気または前記第２空気が流れ出すことがないように、前記複数の第１ファンを制御する、空気調和システム（１）。
【請求項２】
第１空気を対象空間に吹き出す第１ファン（１１）をそれぞれ有する複数の第１ユニット（１０）と、
熱交換器（２２）及び吸気口（２８，２９）を有する第２ユニット（２０）と、
前記第２ユニットから前記複数の第１ユニットに送られる前記第１空気を分配するダクト（４０）と、
前記吸気口の上流に設けられ、前記第２ユニットの外部から前記吸気口を通して第２空気を前記第２ユニットに導入する第２ファン（１１１，１２０）と、
前記第２ファンの風量を検知する第２風量検知手段（１１２，１２１）と、
前記複数の第１ユニットの複数の第１ファンを制御するコントローラ（５０）と、
を備え、
前記第２ユニットが、少なくとも前記第２ファンにより導入された前記第２空気を前記熱交換器で熱交換することによって前記第１空気を生成して前記ダクトに送出し、
前記コントローラが、前記第２風量検知手段で検知された風量と前記複数の第１ユニットの風量の合計との比較の結果に応じて、前記複数の第１ユニットの風量の合計を前記第２ファンの風量以上にすることによって前記吸気口から前記第２ユニットの外部に前記第１空気または前記第２空気が流れ出すことがないように、前記複数の第１ファンを制御する、空気調和システム（１）。
【発明の詳細な説明】
【技術分野】
【０００１】
空気を分配するダクトを備える空気調和システム
【背景技術】
【０００２】
従来から、例えば特許文献１（特開平１０−２５３１３２号公報）に記載されているような、熱交換器及び空調用ファンを有する空調ユニットと、送風ファンを有する複数の通気ユニットと、空調ユニットから通気ユニットに調和空気を分配するダクトとを備える空気調和システムが知られている。この空気調和システムでは、部屋の空気調和のために送風ファンの回転数が制御される。
【発明の概要】
【発明が解決しようとする課題】
【０００３】
しかしながら、特許文献１に記載されている空気調和システムにおいて、さらに空調ユニットに外気を取り込むための外気取り込み用ファンを設けると、外気取り込み用ファンと通気ユニットの送風ファンの連携が不十分になって、例えば室内から空調ユニットに取り込む空気が逆流することがある。
【０００４】
このように外気などをファンでユニット内に取り込む空気調和システムには、外気などを取り込む経路とは異なる経路でユニットの中に取り込む空気の逆流を防止するという課題がある。
【課題を解決するための手段】
【０００５】
第１観点の空気調和システムは、複数の第１ユニットと、第２ユニットと、ダクトと、第２ファンと、コントローラとを備える。複数の第１ユニットは、第１空気を対象空間に吹き出す第１ファンをそれぞれ有する。第２ユニットは、熱交換器及び吸気口を有する。
ダクトは、第２ユニットから複数の第１ユニットに送られる第１空気を分配する。第２ファンは、第２空気を第２ユニットに導入する。コントローラは、複数の第１ユニットの複数の第１ファンを制御する。第２ユニットが、少なくとも第２ファンにより導入された第２空気を熱交換器で熱交換することによって第１空気を生成してダクトに送出する。コントローラが、複数の第１ユニットの風量の合計を第２ファンの風量以上にすることによって吸気口から第１空気または第２空気が流れ出すことがないように、少なくとも複数の第１ファンを制御する。
【０００６】
第１観点のシステムは、コントローラが、複数の第１ユニットの風量の合計を第２ファンの風量以上にすることで、第１空気の風量から第２空気の風量を引いた値が負にならず、第２ユニットの中を正圧（例えば大気圧以上）にしないような制御を行える。その結果、空気調和システムは、第１空気及び第２空気の逆流を防止することができる。
【０００７】
第２観点の空気調和システムは、第１観点のシステムであって、複数の第１ユニットの各々が、各第１ユニットの風量を検知する第１風量検知手段を有し、コントローラが、複数の第１ユニットの複数の第１風量検知手段で検知された風量の合計と第２ファンの風量との比較の結果に応じて、複数の第１ファンを制御する。
【０００８】
第３観点の空気調和システムは、第１観点又は第２観点のシステムであって、第２ファンの風量を検知する第２風量検知手段を備え、コントローラは、第２風量検知手段で検知された風量と複数の第１ユニットの風量の合計との比較の結果に応じて、複数の第１ファンを制御する。
【図面の簡単な説明】
【０００９】
【図１】実施形態に係る空気調和システムの構成を示す概念図。
【図２】図１の空気調和システムのコントローラの構成を説明するためのブロック図。
【図３】変形例に係る空気調和システムの構成の一例を示す概念図。
【図４】図３の空気調和システムのコントローラの構成を説明するためのブロック図。
【図５】変形例に係る空気調和システムの構成の他の例を示す概念図。
【図６】図５の空気調和システムのコントローラの構成を説明するためのブロック図。
【発明を実施するための形態】
【００１０】
（１）全体構成
図１に示されている空気調和システム１は、複数の第１ユニット１０と、第２ユニット２０と、ダクト４０と、コントローラ５０と、外気導入ユニット１１０とを備えている。複数の第１ユニット１０は、それぞれ、第１ファン１１を有する。第２ユニット２０は、熱交換器２２及び吸気口２８，２９を有する。各第１ファン１１は、各第１ユニット１０から対象空間１００に供給空気ＳＡ（第１空気）を吹出す。対象空間１００は、例えば、建物内の部屋である。部屋は、例えば、床、天井及び壁によって空気の移動が制限された空間である。１つまたは複数の対象空間１００に対して、複数の第１ユニット１０が配設される。図１には、複数の第１ユニット１０を備える空気調和システム１の代表例として、２つの第１ユニット１０を備える空気調和システム１が１つの対象空間１００に対して配設されている例が示されている。しかし、１つの対象空間１００に対して配設される第１ユニット１０の個数は、３以上であってもよく、適宜設定されるものである。第２ユニット２０は、吸気口２８，２９を有する。第２ユニット２０は、吸気口２８を通して、外気導入ユニット１１０から外気ＯＡを導入する。第２ユニット２０の吸気口２９は、通風路８２により、対象空間１００と繋がっている。室内空気ＲＡは、通風路８２及び吸気口２９を通して対象空間１００から第２ユニット２０に戻る。
【００１１】
外気導入ユニット１１０は、外気供給ファン１１１を有している。外気導入ユニット１１０は、外気供給ファン１１１により、対象空間１００の外から外気ＯＡを取り入れて第２ユニット２０の吸気口２８に送風する。外気供給ファン１１１は、回転数を変更でき、回転数が大きいほど外気ＯＡの風量が多くなる。外気供給ファン１１１はメインコントローラ５１により制御されている。この場合の第２ユニット２０に導入される第２空気は、外気ＯＡである。これら第２空気（外気ＯＡ）を第２ユニット２０に導入する外気供給ファン１１１が第２ファンである。
【００１２】
ダクト４０は、第２ユニット２０から第１ファン１１により送出される供給空気ＳＡ（第１空気）を、複数の第１ユニット１０に分配する。ダクト４０は、主管４１と、主管４１から分岐した枝管４２とを含んでいる。図１には、主管４１の入口４１ａは、第２ユニット２０に接続されている例が示されている。ダクト４０の主管４１の出口４１ｂは、枝管４２の入口４２ａに接続されている。枝管４２の複数の出口４２ｂは、複数の第１ユニット１０に接続されている。
【００１３】
給気ファン２１は、第２ユニット２０の中に配置されている。第２ユニット２０は、給気ファン２１により導入された室内空気ＲＡ及び外気ＯＡ（第２空気）を熱交換器２２で熱交換することによって、供給空気ＳＡ（第１空気）を生成してダクト４０に送出する。ここでは、給気ファン２１から吹出される空気は、全てダクト４０に流れ込むように構成されている。
【００１４】
各第１ユニット１０と、対象空間１００とは、各通風路８１により繋がっている。各通風路８１の入口８１ａが各第１ユニット１０に接続されている。各第１ファン１１は、各第１ユニット１０の中で、ダクト４０の出口４２ｂから各通風路８１の入口８１ａに向う気流を発生させる。これを別の観点から見ると、各第１ファン１１は、枝管４２の各出口４２ｂから供給空気ＳＡを吸引しているということである。各第１ファン１１は、回転数を変更することにより各第１ユニット１０の中（各通風路８１の入口８１ａの手前）の静圧を変更することができる。各第１ファン１１は、ダクト４０の静圧が一定であるとすると、回転数を大きくすることにより、各第１ユニット１０の中（各通風路８１の入口８１ａの手前）の静圧を高くすることができる。第１ユニット１０の中の静圧が高くなると、通風路８１を流れる供給空気ＳＡの風量が多くなる。風量が変わることによって、各通風路８１の出口８１ｂから対象空間１００に吹出される給気風量が変わる。
【００１５】
コントローラ５０は、メインコントローラ５１と複数のサブコントローラ５２とを含んでいる。メインコントローラ５１と複数のサブコントローラ５２とが互いに接続されて、コントローラ５０が構成されている。メインコントローラ５１は、給気ファン２１の回転数を制御する。言い換えると、メインコントローラ５１が給気ファン２１の出力を制御する。給気ファン２１の出力が高くなれば、給気ファン２１の風量が多くなる方向に給気ファン２１の状態が変わる。
【００１６】
各第１ユニット１０に対しては、１つのサブコントローラ５２が設けられている。各サブコントローラ５２は、対応する第１ファン１１に風量変更に関する指示を出す。各サブコントローラ５２は、目標風量を記憶している。各サブコントローラ５２は、目標風量に対して給気風量が不足していれば、対応する第１ファン１１の回転数を増加させる指示（風量変更に関する指示）を出す。逆に、各サブコントローラ５２は、目標風量に対して給気風量が過剰であれば、対応する第１ファン１１の回転数を減少させる指示（風量変更に関する指示）を出す。
【００１７】
コントローラ５０は、複数の第１ファン１１により対象空間１００に供給される供給空気ＳＡの風量に関する情報を複数のサブコントローラ５２から得る。風量に関する情報には、例えば、１秒間当たりに対象空間１００に供給すべき風量の情報が含まれる。得られた風量に関する情報を基に給気ファン２１の要求出力を決定する。コントローラ５０は、決定した要求出力になるように、給気ファン２１の出力を制御する。例えば、各サブコントローラ５２が、対応する第１ユニット１０から、当該第１ユニット１０の風量の値を得ている。各サブコントローラ５２は、風量の値をメインコントローラ５１に出力する。
【００１８】
コントローラ５０は、複数の第１ユニット１０の風量の合計を、外気供給ファン１１１（第２ファン）の風量以上にすることによって、吸気口２９から第２ユニット２０の外部に、供給空気ＳＡ（第１空気）または外気ＯＡ（第２空気）が流れ出すことがないように、少なくとも複数の第１ファン１１を制御する。
【００１９】
（２）詳細構成
（２−１）第２ユニット２０
第２ユニット２０は、既に説明した給気ファン２１、熱交換器２２及び吸気口２８，２９以外に、第３風量検知手段２３、温度センサ２４及び水量調整弁２５を有している。熱交換器２２には、熱源ユニット６０から熱媒体として例えば冷水または温水が供給される。熱交換器２２に供給される熱媒体は、冷水または温水以外のもの、例えばブラインであってもよい。第３風量検知手段２３には、例えば、風量センサ、風速センサまたは差圧センサを用いることができる。
【００２０】
第３風量検知手段２３は、給気ファン２１が送風する風量を検知する。第３風量検知手段２３は、メインコントローラ５１に接続されている。第３風量検知手段２３が検知した風量の値は、第３風量検知手段２３からメインコントローラ５１に送信される。第３風量検知手段２３が検知した風量は、ダクト４０の主管４１を流れる風量である。言い換えると、第３風量検知手段２３が検知した風量は、複数の第１ユニット１０から対象空間１００に供給される給気風量の総量になる。
【００２１】
温度センサ２４は、給気ファン２１からダクト４０に送られる供給空気ＳＡの温度を検知する。温度センサ２４は、メインコントローラ５１に接続されている。温度センサ２４が検知した温度の値は、温度センサ２４からメインコントローラ５１に送信される。
【００２２】
第２ユニット２０は、通風路８２を介して、対象空間１００に繋がっている。通風路８２を通って対象空間１００から戻ってきた室内空気ＲＡは、給気ファン２１により第２ユニット２０に引き込まれる。第２ユニット２０は、外気導入ユニット１１０に接続されている。第２ユニット２０の吸気口２８には外気供給ファン１１１により外気ＯＡが吹き込まれる。第２ユニット２０に引き込まれた室内空気ＲＡ及び外気ＯＡが熱交換器２２を通ることによって供給空気ＳＡとなり、供給空気ＳＡがダクト４０に送り出される。熱交換器２２を通るときに、室内空気ＲＡ及び外気ＯＡは、熱交換器２２を流れる冷水または温水と熱交換して調和空気になる。熱交換器２２での熱交換により調和空気（供給空気ＳＡ）に与えられる熱量は、水量調整弁２５によって調整される。水量調整弁２５の開度は、メインコントローラ５１により制御される。水量調整弁２５の開度が大きくなれば、熱交換器２２に流れる水量が多くなり、熱交換器２２と供給空気ＳＡとの間で単位時間あたりに交換される熱量が多くなる。逆に、水量調整弁２５の開度が小さくなれば、熱交換器２２に流れる水量が少なくなり、熱交換器２２と供給空気ＳＡとの間の単位時間あたりの熱交換量が少なくなる。
【００２３】
（２−２）第１ユニット１０
第１ユニット１０は、既に説明した第１ファン１１以外に、第１風量検知手段１２を有している。第１風量検知手段１２は、第１ファン１１が送風する風量を検知する。各第１風量検知手段１２は、対応する１つのサブコントローラ５２に接続されている。第１風量検知手段１２が検知した風量の値は、サブコントローラ５２に送信される。第１風量検知手段１２が検知した風量は、通風路８１を流れる風量である。言い換えると、第１風量検知手段１２が検知した風量は、各第１ユニット１０から対象空間１００に供給される給気風量になる。第１風量検知手段１２には、例えば、風量センサ、風速センサまたは差圧センサを用いることができる。
【００２４】
（２−３）コントローラ５０
コントローラ５０は、例えばコンピュータにより実現されるものである。コントローラ５０は、図２に示されている制御演算装置５１ａ，５２ａと記憶装置５１ｂ，５２ｂとを備える。制御演算装置５１ａ，５２ａには、ＣＰＵ又はＧＰＵといったプロセッサを使用できる。制御演算装置５１ａ，５２ａは、記憶装置５１ｂ，５２ｂに記憶されているプログラムを読み出し、このプログラムに従って所定の画像処理や演算処理を行う。さらに、制御演算装置５１ａ，５２ａは、プログラムに従って、演算結果を記憶装置５１ｂ，５２ｂに書き込んだり、記憶装置５１ｂ，５２ｂに記憶されている情報を読み出したりすることができる。図２は、制御演算装置５１ａ，５２ａにより実現される各種の機能ブロックを示している。記憶装置５１ｂ，５２ｂは、データベースとして用いることができる。
【００２５】
（２−４）リモートセンサ７０
複数のリモートセンサ７０は、温度センサ及びＣＯ２濃度センサの機能を有している。各リモートセンサ７０は、対応するサブコントローラ５２に、対象空間１００の温度及びＣＯ２濃度センサを示すデータを送信できるように構成されている。各リモートセンサ７０は、例えば、対象空間１００の中の設置場所の近傍の温度及びＣＯ２濃度センサを検出するように構成される。
【００２６】
（２−５）
外気導入ユニット１１０は、既に説明した外気供給ファン１１１以外に、外気風量検知手段１１２を有している。外気風量検知手段１１２は、第２ユニット２０に送られる外気ＯＡの風量を検知する第２風量検知手段として機能する。外気風量検知手段１１２は、検知した外気ＯＡの風量の値をメインコントローラ５１に送信する。外気風量検知手段１１２には、例えば、風量センサ、風速センサまたは差圧センサを用いることができる。
【００２７】
（３）空気調和システム１の動作
複数のサブコントローラ５２は、それぞれ、接続されているリモートセンサ７０から、検知した対象空間１００の温度の値を受信する。各サブコントローラ５２は、設定温度を示すデータを保持している。例えば、リモートコントローラ（図示せず）などから、各サブコントローラ５２に設定温度を示すデータが予め送信される。各サブコントローラ５２は、リモートコントローラなどから受信した設定温度を示すデータを内蔵するメモリなどの記憶装置５２ｂ（図２参照）に記憶している。各サブコントローラ５２が設定温度の値をメインコントローラ５１に送信する。メインコントローラ５１は、設定温度に基づき、対応するリモートセンサ７０の検知した温度に応じて、供給空気ＳＡの温度と、各第１ユニット１０の目標風量とを決定する。メインコントローラ５１は、目標風量の値を各サブコントローラ５２に送信する。
【００２８】
メインコントローラ５１は、対象空間１００に供給すべき目標風量の総量に応じて、給気ファン２１の目標吐出圧力を決定する。メインコントローラ５１は、給気ファン２１の回転数を制御して、給気ファン２１の吐出圧力が目標吐出圧力になるように制御する。そのために、第２ユニット２０は、給気ファン２１の吐出圧力を検知するセンサを有してもよい。また、供給空気ＳＡの温度は、水量調整弁２５によって調整される。メインコントローラ５１は、温度センサ２４によって供給空気ＳＡの温度を検出しながら、供給空気ＳＡの温度が決定した温度になるように水量調整弁２５の開度を調整する。
【００２９】
また、メインコントローラ５１は、それぞれ、接続されているリモートセンサ７０から、検知した対象空間１００のＣＯ２濃度の値を受信する。メインコントローラ５１は、ＣＯ２濃度に関するデータを保持している。メインコントローラ５１はＣＯ２濃度に関するデータに基づき、対応するリモートセンサ７０の検知したＣＯ２濃度に応じて、外気供給ファン１１１の出力（回転数）を決定する。
【００３０】
コントローラ５０は、複数の第１ユニット１０の風量の合計ＡＶを外気供給ファン１１１の風量以上にすることによって吸気口２８，２９から第２ユニット２０の外に供給空気ＳＡまたは外気ＯＡが流れ出すことがないように、複数の第１ファン１１を制御する。そのために、コントローラ５０は、複数の第１ユニット１０の複数の第１風量検知手段１２で検知された風量の合計と外気供給ファン１１１の風量とを比較する。
【００３１】
例えば、コントローラ５０は、決定した外気供給ファン１１１の目標風量ＴＶと複数の第１風量検知手段１２で検知された風量の合計ＡＶ１とを比較して、ＡＶ１＞ＴＶとなるように、複数の第１ファン１１の風量を制御する。
【００３２】
あるいは、例えば、コントローラ５０は、外気風量検知手段１１２（第２風量検知手段）で検知された外気供給ファン１１１の風量ＡＶ２と、複数の第１風量検知手段１２で検知された風量の合計ＡＶ１とを比較するように構成されてもよい。この場合、例えば、コントローラ５０は、ＡＶ１≧ＡＶ２となるように、複数の第１ファン１１を制御する。
【００３３】
（４）変形例
（４−１）変形例Ａ
図３及び図４に示されている空気調和システム１のように、室内空気ＲＡを第２ユニット２０に導入するための室内ファン１２０を設けてもよい。なお、図３及び図４に示されている空気調和システム１のうち、図１及び図２に示された実施形態の空気調和システム１と同様の構成部分については同じ符号を付して説明を省略する。室内ファン１２０から吹出される空気は、通風路８２を通って第２ユニット２０に導かれる経路と、通風路８３を通って室外に出る経路のいずれかを流れる。この場合、室内ファン１２０から吹出される空気のうち、吸気口２９から第２ユニット２０に入る空気が室内空気ＲＡであり、外部に出る空気が排気ＥＡである。通風路８２の空気の流量を調節するためのバイパスダンパ９２と通風路８３の空気の流量を調節するための排気ダンパ９３とを設けてもよい。また、外気導入ユニット１１０に対しては、外気導入ユニット１１０から第２ユニット２０の吸気口２８に繋がる通風路８４の開通状態と閉鎖状態を切り換える外気ダンパ９１を設けてもよい。外気ダンパ９１、バイパスダンパ９２及び排気ダンパ９３は、例えば電動で開閉するよう構成され、コントローラ５０により制御される。
【００３４】
外気ダンパ９１は、外気供給ファン１１１の運転時に全開状態となり、外気供給ファン１１１の停止時に全閉状態となる。外気供給ファン１１１は、メインコントローラ５１により、リモートセンサ７０で検知されたＣＯ２濃度に応じて回転数を制御される。メインコントローラ５１は、対象空間１００のＣＯ２濃度が高くなれば、外気供給ファン１１１の回転数を増加させて対象空間１００に供給する外気ＯＡの量を増やす。
【００３５】
対象空間１００に供給する供給空気ＳＡの量が増えれば、戻る室内空気ＲＡの量も増える。そのため、メインコントローラ５１は、室内ファン１２０の回転数を、給気ファン２１の回転数に応じて変化させる。メインコントローラ５１は、給気ファン２１の回転数を増加させるときには、室内ファン１２０の回転数を増加させる。例えば、メインコントローラ５１は、室内ファン１２０の回転数を、給気ファン２１の回転数に比例させる。このとき、メインコントローラ５１は、外気供給ファン１１１の回転数に応じて排気ダンパ９３の開度を変化させる。メインコントローラ５１は、外気供給ファン１１１の供給量が多くなれば、排気ダンパ９３の開度を大きくして、多くの室内空気ＲＡを排気させる。例えば、メインコントローラ５１は、外気供給ファン１１１の回転数に比例して、排気ダンパ９３の開度を変化させる。メインコントローラ５１は、バイパスダンパ９２に排気ダンパ９３と逆の動作を行わせる。メインコントローラ５１は、排気ダンパ９３の開度が大きくなれば、バイパスダンパ９２の開度を小さくする。
【００３６】
通風路８２には、室内空気風量検知手段１２１が設けられている。室内空気風量検知手段１２１は、第２ユニット２０に送られる室内空気ＲＡの風量を検知する第２風量検知手段として機能する。室内空気風量検知手段１２１は、検知した室内空気ＲＡの風量の値をメインコントローラ５１に送信する。室内空気風量検知手段１２１には、例えば、風量センサ、風速センサまたは差圧センサを用いることができる。
【００３７】
この場合に、外気供給ファン１１１と室内ファン１２０が第２ファンである。第２ユニット２０に導入される第２空気は、外気供給ファン１１１と室内ファン１２０により導入される外気ＯＡと室内空気ＲＡである。
【００３８】
コントローラ５０は、複数の第１ユニット１０の風量の合計ＡＶを外気供給ファン１１１及び室内ファン１２０の風量以上にすることによって吸気口２８，２９から第２ユニット２０の外に供給空気ＳＡ、室内空気ＲＡまたは外気ＯＡが流れ出すことがないように、複数の第１ファン１１を制御する。そのために、コントローラ５０は、複数の第１ユニット１０の複数の第１風量検知手段１２で検知された風量の合計と外気供給ファン１１１の風量及び室内ファン１２０の風量とを比較する。
【００３９】
例えば、コントローラ５０は、外気風量検知手段１１２（第２風量検知手段）で検知された外気供給ファン１１１の風量ＡＶ２及び、室内空気風量検知手段１２１（第２風量検知手段）で検知された室内ファン１２０の風量ＡＶ３の合計の風量ＡＶ４を算出する。コントローラ５０は、風量ＡＶ４と、複数の第１風量検知手段１２で検知された風量の合計ＡＶ１とを比較する。コントローラ５０は、例えば、ＡＶ１≧ＡＶ４となるように、複数の第１ファン１１を制御する。
【００４０】
なお、外気ＯＡが通る通風路８４が短いときには、図３に示されている空気調和システム１の構成から、外気供給ファン１１１を省いてもよい。この場合には、メインコントローラ５１は、外気ダンパ９１の開度をＣＯ２濃度に応じて制御する。メインコントローラ５１は、ＣＯ２濃度が高くなると、外気ダンパ９１の開度を大きくする。外気供給ファン１１１を省いた場合には、室内ファン１２０が第２ファンである。第２ユニット２０に導入される第２空気は、室内ファン１２０により導入される室内空気ＲＡである。
【００４１】
この場合、コントローラ５０は、複数の第１ユニット１０の風量の合計ＡＶを室内ファン１２０の風量以上にすることによって吸気口２８，２９から第２ユニット２０の外に供給空気ＳＡまたは室内空気ＲＡが流れ出すことがないように、複数の第１ファン１１を制御する。そのために、コントローラ５０は、複数の第１ユニット１０の複数の第１風量検知手段１２で検知された風量の合計と室内ファン１２０の風量とを比較する。
【００４２】
例えば、コントローラ５０は、室内空気風量検知手段１２１（第２風量検知手段）で検知された室内ファン１２０の風量ＡＶ３と、複数の第１風量検知手段１２で検知された風量の合計ＡＶ１とを比較する。コントローラ５０は、例えば、ＡＶ１≧ＡＶ３となるように、複数の第１ファン１１を制御する。
【００４３】
（４−２）変形例Ｂ
図５及び図６に示されている空気調和システム１のように、排気ＥＡを外部に排気するための排気ファン１３０を設けてもよい。なお、図５及び図６に示されている空気調和システム１のうち、図３及び図４に示された実施形態の空気調和システム１と同様の構成部分については同じ符号を付して説明を省略する。排気ファン１３０から吹出される排気ＥＡは、通風路８３を通って室外に出る経路を流れる。対象空間１００から戻る空気のうち、排気ＥＡを除いた残りの空気が、通風路８２を通って第２ユニット２０に導かれる室内空気ＲＡである。通風路８２の空気の流量を調節するためのバイパスダンパ９２と通風路８３の空気の流量を調節するための排気ダンパ９３とを設けてもよい。また、外気導入ユニット１１０に対しては、外気導入ユニット１１０から第２ユニット２０の吸気口２８に繋がる通風路８４の開通状態と閉鎖状態を切り換える外気ダンパ９１を設けてもよい。外気ダンパ９１、バイパスダンパ９２及び排気ダンパ９３は、例えば電動で開閉するよう構成され、コントローラ５０により制御される。
【００４４】
外気ダンパ９１及び排気ダンパ９３は、外気供給ファン１１１の運転時に全開状態となり、外気供給ファン１１１の停止時に全閉状態となる。外気供給ファン１１１は、メインコントローラ５１により、リモートセンサ７０で検知されたＣＯ２濃度に応じて回転数を制御される。メインコントローラ５１は、対象空間１００のＣＯ２濃度が高くなれば、外気供給ファン１１１の回転数を増加させて対象空間１００に供給する外気ＯＡの量を増やす。
【００４５】
取り入れる外気ＯＡの量が増えれば、排気ＥＡの量も増える。そのため、メインコントローラ５１は、排気ファン１３０の回転数を、外気供給ファン１１１の回転数に応じて変化させる。メインコントローラ５１は、外気供給ファン１１１の回転数を増加させるときには、排気ファン１３０の回転数を増加させる。例えば、メインコントローラ５１は、排気ファン１３０の回転数を、外気供給ファン１１１の回転数に比例させる。このとき、メインコントローラ５１は、バイパスダンパ９２に排気ファン１３０と逆の動作を行わせる。メインコントローラ５１は、排気ファン１３０の回転数が大きくなれば、バイパスダンパ９２の開度を小さくする。
【００４６】
この場合に、外気供給ファン１１１が第２ファンである。第２ユニット２０に導入される第２空気は、外気供給ファン１１１により導入される外気ＯＡである。従って、コントローラ５０による室内空気ＲＡまたは外気ＯＡが第２ユニット２０から流れ出さないようにするための複数の第１ファン１１の制御は、実施形態と同様になる。
【００４７】
（４−３）変形例Ｃ
上記実施形態では、外気供給ファン１１１は、回転数を制御するように構成されている場合について説明した。しかし、外気供給ファン１１１は、回転数一定で、オン状態とオフ状態を切り替える構成であってもよい。例えば、メインコントローラ５１は、リモートセンサ７０で検知されるＣＯ２濃度が閾値を超えたときに外気供給ファン１１１をオン状態にし、閾値以下のときに外気供給ファン１１１をオフ状態にする。
【００４８】
（４−４）変形例Ｄ
上記実施形態または変形例では、第２ユニット２０の中に、給気ファン２１を設ける場合について説明した。しかし、給気ファン２１を第２ユニット２０に設けない構成の空気調和システム１を構成することもできる。
【００４９】
（４−５）変形例Ｅ
上記実施形態では、複数の第１ユニット１０の風量の合計を複数の第１風量検知手段１２で検知された風量の合計から求めたが、複数の第１ユニット１０の風量の合計を求める方法はこのような方法には限られない。例えば、複数の第１ユニット１０の風量の合計は、第３風量検知手段２３を用いて求めることもできる。
【００５０】
（４−６）変形例Ｆ
上記実施形態では、外気供給ファン１１１の風量がＣＯ２濃度に応じて変わる場合について説明したが、外気供給ファン１１１の風量を変化させるパラメータは、ＣＯ２濃度のみに限られるものではない。外気供給ファン１１１の風量を変化させるパラメータに、ＣＯ２濃度以外のパラメータを用いてもよく、あるいはＣＯ２濃度と他のパラメータを組み合わせたものを用いてもよい。
【００５１】
（４−７）変形例Ｇ
上記実施形態では、空気調和システム１が、対象空間１００の気温とＣＯ２濃度を調節する場合について説明したが、空気調和システム１が行う空気調和は、気温とＣＯ２濃度に限られるものではない。例えば、空気調和システム１が、対象空間１００の湿度を調節するように構成されてもよい。
【００５２】
（５）特徴
以上説明した空気調和システム１では、コントローラ５０が、複数の第１ユニット１０の風量の合計を第２ファンである外気供給ファン１１１、室内ファン１２０、または、外気供給ファン１１１と室内ファン１２０の両方の風量以上にするように制御している。そのため、第１空気である供給空気ＳＡの風量から、第２空気である外気ＯＡ及び／または室内空気ＲＡの風量を引いた値が負にならない。その結果、空気調和システム１は、第２ユニット２０の中を正圧（例えば大気圧以上）にしないようにせずに、供給空気ＳＡ（第１空気の例）及び第２空気の逆流を防止することができる。実施形態では第２空気が外気ＯＡであり、変形例Ａでは第２空気が外気ＯＡと室内空気ＲＡまたは室内空気ＲＡのみであり、変形例Ｂでは第２空気が外気ＯＡである。
【００５３】
以上、本開示の実施形態を説明したが、特許請求の範囲に記載された本開示の趣旨及び範囲から逸脱することなく、形態や詳細の多様な変更が可能なことが理解されるであろう。
【符号の説明】
【００５４】
１  空気調和システム
１０  第１ユニット
１１  第１ファン
２０  第２ユニット
２２  熱交換器
２８，２９  吸気口
４０  ダクト
５０  コントローラ
１１１  外気供給ファン
１２０  室内ファン
【先行技術文献】
【特許文献】
【００５５】
【特許文献１】特開平１０−２５３１３２号公報
【図１】
0006958657.tif 000002
【図２】
0006958657.tif 000003
【図３】
0006958657.tif 000004
【図４】
0006958657.tif 000005
【図５】
0006958657.tif 000006
【図６】
0006958657.tif 000007